(57)【要約】【課題】ユーザが画面上のどの位置を注視していても重要な情報に見落としにくくする情報表示装置、情報表示方法、および情報表示プログラムを提供する。【解決手段】情報表示装置１０は、ユーザの注視点を推測可能な注視点情報を用いて、画面上におけるユーザの注視点位置を推定する注視点推定部１１０と、ユーザの目線の惹きやすさの度合を示す誘目度を、注視点位置に基づいて画面上に表示される情報毎に取得する誘目度取得部１２０と、情報毎の誘目度が情報毎に定められた重要度に見合うか否かを判定し、重要度に見合わない誘目度を有する情報を不適切情報として特定する不適切情報特定部１３０と、画面上に表示される情報の表示状態を更新することにより不適切情報の誘目度を変更し、不適切情報の誘目度を重要度に見合うように調整する表示更新部１４０と、を有する。【選択図】図１
2015007861.tif 000002
【特許請求の範囲】
【請求項１】
ユーザの注視点を推測可能な注視点情報を用いて、画面上における前記ユーザの注視点位置を推定する注視点推定手段と、
前記ユーザの目線の惹きやすさの度合を示す誘目度を、前記注視点位置に基づいて前記画面上に表示される情報毎に取得する誘目度取得手段と、
前記情報毎の前記誘目度が前記情報毎に定められた重要度に見合うか否かを判定し、前記重要度に見合わない前記誘目度を有する前記情報を不適切情報として特定する不適切情報特定手段と、
前記画面上に表示される前記情報の表示状態を更新することにより前記不適切情報の前記誘目度を変更し、前記不適切情報の前記誘目度を前記重要度に見合うように調整する表示更新手段と、
を有する情報表示装置。
【請求項２】
前記画面上に表示される前記情報毎の特徴量を取得する特徴量取得手段を更に備え、
前記誘目度取得手段は、前記注視点位置及び前記特徴量に基づいて前記画面上に表示される情報毎に前記誘目度を取得する、
請求項１に記載の情報表示装置。
【請求項３】
前記特徴量は、前記情報の配色、サイズ、形状、及び動きのうち、少なくともいずれか１つを含む、
請求項２に記載の情報表示装置。
【請求項４】
前記不適切情報特定手段は、前記画面上に表示される前記情報に関する前記誘目度の大小関係と前記重要度の大小関係とを比較することにより、前記情報毎の前記誘目度が前記情報毎に定められた重要度に見合うか否かを判定して前記不適切情報を特定する、
請求項１から３のいずれか１項に記載の情報表示装置。
【請求項５】
前記不適切情報特定手段は、前記情報毎の前記誘目度と前記重要度の度合毎に定められた閾値とを比較することにより、前記情報毎の前記誘目度が前記情報毎に定められた重要度に見合うか否かを判定して前記不適切情報を特定する、
請求項１から３のいずれか１項に記載の情報表示装置。
【請求項６】
コンピュータが、
ユーザの注視点を推測可能な注視点情報を用いて、画面上における前記ユーザの注視点位置を推定し、
前記ユーザの目線の惹きやすさの度合を示す誘目度を、前記注視点位置に基づいて前記画面上に表示される情報毎に取得し、
前記情報毎の前記誘目度が前記情報毎に定められた重要度に見合うか否かを判定し、前記重要度に見合わない前記誘目度を有する前記情報を不適切情報として特定し、
前記画面上に表示される前記情報の表示状態を更新することにより前記不適切情報の前記誘目度を変更し、前記不適切情報の前記誘目度を前記重要度に見合うように調整する、
ことを含む情報表示方法。
【請求項７】
コンピュータを、
ユーザの注視点を推測可能な注視点情報を用いて、画面上における前記ユーザの注視点位置を推定する注視点推定手段、
前記ユーザの目線の惹きやすさの度合を示す誘目度を、前記注視点位置に基づいて前記画面上に表示される情報毎に取得する誘目度取得手段、
前記情報毎の前記誘目度が前記情報毎に定められた重要度に見合うか否かを判定し、前記重要度に見合わない前記誘目度を有する前記情報を不適切情報として特定する不適切情報特定手段、
前記画面上に表示される前記情報の表示状態を更新することにより前記不適切情報の前記誘目度を変更し、前記不適切情報の前記誘目度を前記重要度に見合うように調整する表示更新手段、
として機能させるための情報表示プログラム。
【発明の詳細な説明】
【技術分野】
【０００１】
本発明は、情報表示装置、情報表示方法、及び情報表示プログラムに関する。
【背景技術】
【０００２】
情報処理装置や通信装置などの進歩により、パソコンなどの表示画面で多くの情報を表示し、ユーザがそれらを閲覧・編集することが可能となってきている。しかし、画面上に多くの情報が表示されると、重要な情報がその他の情報に埋もれやすくなる。そのため、ユーザが重要な情報を見落としてしまう可能性が高くなる。そこで、ユーザが重要な情報に気づきやすく、見落しを防ぐような技術が望まれる。
【０００３】
下記特許文献１には、情報の視覚的注意の引きやすさ（誘目度）を定量的に算出する方法が提案されている。この方法は、各々の領域に施される配色、サイズ、注視点からの距離、及び形状等目立ちやすさに関係する特徴量に基づいて領域ごとの誘目度を算出し、当該誘目度を用いて最も目立つ領域として注目領域（注視点）を推定する方法である。また、下記非特許文献１では、画面上に配置された単純な図形（オブジェクト）の誘目度を、そのオブジェクトの配色、サイズ、注視点からの距離、及び形状から算出する方法が提案されている。
【先行技術文献】
【特許文献】
【０００４】
【特許文献１】特開２００１−１２６０７０号公報
【非特許文献】
【０００５】
【非特許文献１】原口健、岡嶋克典、「視覚探索における誘目性の定量化」、日本視覚学界誌（ＶＩＳＩＯＮ）２３巻１号、ｐｐ．１−１８
【発明の概要】
【発明が解決しようとする課題】
【０００６】
しかしながら、ユーザが画面上で視線を移動させながら作業を行なう状況では、画面に表示されている各情報の誘目度がユーザの注視点の位置に応じて変化する。そのため、ユーザの注視点の位置に関わらず、常に重要な情報を見落とさないように個々の情報の誘目度を調整することは難しい。特に、大画面上に大量の情報を表示しながらユーザが何らかの作業を行なうような状況では、この問題は顕著になる。
【０００７】
本発明は上述の課題に鑑みてなされたものであり、その目的は、ユーザが画面上のどの位置を注視していても重要な情報を見落としにくくする情報表示装置、情報表示方法、および情報表示プログラムを提供することにある。
【課題を解決するための手段】
【０００８】
本発明によれば、
ユーザの注視点を推測可能な注視点情報を用いて、画面上における前記ユーザの注視点位置を推定する注視点推定手段と、
前記ユーザの目線の惹きやすさの度合を示す誘目度を、前記注視点位置に基づいて前記画面上に表示される情報毎に取得する誘目度取得手段と、
前記情報毎の前記誘目度が前記情報毎に定められた重要度に見合うか否かを判定し、前記重要度に見合わない前記誘目度を有する前記情報を不適切情報として特定する不適切情報特定手段と、
前記画面上に表示される前記情報の表示状態を更新することにより前記不適切情報の前記誘目度を変更し、前記不適切情報の前記誘目度を前記重要度に見合うように調整する表示更新手段と、
を有する情報表示装置が提供される。
【０００９】
本発明によれば、
コンピュータが、
ユーザの注視点を推測可能な注視点情報を用いて、画面上における前記ユーザの注視点位置を推定し、
前記ユーザの目線の惹きやすさの度合を示す誘目度を、前記注視点位置に基づいて前記画面上に表示される情報毎に取得し、
前記情報毎の前記誘目度が前記情報毎に定められた重要度に見合うか否かを判定し、前記重要度に見合わない前記誘目度を有する前記情報を不適切情報として特定し、
前記画面上に表示される前記情報の表示状態を更新することにより前記不適切情報の前記誘目度を変更し、前記不適切情報の前記誘目度を前記重要度に見合うように調整する、
ことを含む情報表示方法が提供される。
【００１０】
本発明によれば、
コンピュータを、
ユーザの注視点を推測可能な注視点情報を用いて、画面上における前記ユーザの注視点位置を推定する注視点推定手段、
前記ユーザの目線の惹きやすさの度合を示す誘目度を、前記注視点位置に基づいて前記画面上に表示される情報毎に取得する誘目度取得手段、
前記情報毎の前記誘目度が前記情報毎に定められた重要度に見合うか否かを判定し、前記重要度に見合わない前記誘目度を有する前記情報を不適切情報として特定する不適切情報特定手段、
前記画面上に表示される前記情報の表示状態を更新することにより前記不適切情報の前記誘目度を変更し、前記不適切情報の前記誘目度を前記重要度に見合うように調整する表示更新手段、
として機能させるための情報表示プログラムが提供される。
【発明の効果】
【００１１】
本発明によれば、ユーザが画面上のどの位置を注視していても、重要な情報を見落しにくくすることができる。
【図面の簡単な説明】
【００１２】
【図１】第１実施形態における情報表示装置の処理構成例を示すブロック図である。
【図２】表示情報のサイズを更新するルールの一例を示す図である。
【図３】表示情報の配色を更新するルールの一例を示す図である。
【図４】表示情報の形状を更新するルールの一例を示す図である。
【図５】表示情報の動きを更新するルールの一例を示す図である。
【図６】第１実施形態における情報表示装置が不適切情報を特定し、表示情報の表示状態を更新する流れを説明するための図である。
【図７】第１実施形態における情報表示装置が不適切情報を特定し、表示情報の表示状態を更新する流れを説明するための図である。
【図８】第１実施形態における情報表示装置が不適切情報を特定し、表示情報の表示状態を更新する流れを説明するための図である。
【図９】第１実施形態における情報表示装置が不適切情報を特定し、表示情報の表示状態を更新する流れを説明するための図である。
【図１０】第１実施形態における情報表示装置が不適切情報を特定し、表示情報の表示状態を更新する流れを説明するための図である。
【図１１】第１実施形態における情報表示装置が不適切情報を特定し、表示情報の表示状態を更新する流れを説明するための図である。
【図１２】第１実施形態における情報表示装置の処理の流れを示すフローチャートである。
【図１３】重要度の度合毎に設定される誘目度の範囲の一例を示す図である。
【図１４】第２実施形態における情報表示装置の処理構成例を示すブロック図である。
【図１５】第２実施形態における情報表示装置の処理の流れを示すフローチャートである。
【発明を実施するための形態】
【００１３】
以下、本発明の実施形態について、図面を用いて説明する。尚、すべての図面において、同様な構成要素には同様の符号を付し、適宜説明を省略する。
【００１４】
（第１実施形態）
図１は、第１実施形態における情報表示装置１０の処理構成例を示すブロック図である。本実施形態では、情報表示装置１０は、注視点推定部１１０、誘目度取得部１２０、不適切情報特定部１３０、及び表示更新部１４０を有する。
【００１５】
注視点推定部１１０は、ユーザの注視点を推測可能な注視点情報を用いて、画面上における前記ユーザの注視点位置を推定する。ここで、注視点情報としては、例えば画面上でマウスクリックが実行された位置、及びアクティブ状態の画面部品上に表示されているカーソルの位置等、ユーザが現在画面上のどの位置を注視しているかを示し得る情報を用いることができる。なお、これらの情報は、例えば、ユーザによって行われるマウス操作やキー操作等を監視することにより取得できる。注視点推定部１１０は、例えば、「最後に実行された監視対象の操作に関して、当該操作が実行された画面上の位置情報を注視点情報として取得する」、又は「マウスクリックにより画面部品（ボタン等）を選択した場合、選択後に更新表示された情報のうち当該画面部品から最も距離が近い情報の位置を注視点情報として取得する」といったルールに基づいて、注視点情報を取得する。また、注視点情報としては、例えばアイトラッキング等、ユーザの視線を推定するツールを用いて取得した情報を用いてもよい。なお、注視点情報は、上述したようなルールを用いて注視点推定部１１０によって取得されてもよいし、注視点推定部１１０以外の他の装置や他の構成要素（不図示）等によって取得され、注視点推定部１１０に受け渡されてもよい。そして、注視点推定部１１０は、取得された注視点情報から特定される画面上の位置座標を、ユーザの注視点位置として推定する。
【００１６】
誘目度取得部１２０は、注視点推定部１１０により推定された注視点位置に基づいて、画面上に表示される情報（以下、表示情報）毎に誘目度を取得する。ここで「誘目度」とは、ユーザの目線を惹きやすさの度合を示す情報である。
【００１７】
詳細には、誘目度取得部１２０は、画面上の各表示情報の表示位置と注視点位置との距離を算出し、算出された各々の距離に応じた表示情報毎の誘目度を取得する。誘目度取得部１２０は、例えば、各表示情報の基準位置（例えば、各表示情報の中心位置や重心位置等）の座標と注視点位置の座標とを用いて各々の距離を算出できる。ここで、注視点位置に近い表示情報ほどユーザの目線を惹きやすい。そのため、誘目度取得部１２０は、算出された距離が小さいほど大きな誘目度を算出する関数を用いて、各表示情報の誘目度を取得する。なお、誘目度取得部１２０が各表示情報の誘目度を取得する方法は、これに限定されない。例えば、誘目度取得部１２０は、注視点位置からの距離と距離に応じた誘目度とが予め対応付けられたテーブルを有しており、各表示情報と注視点推定部１１０で推定された注視点位置との距離を用いて当該テーブルを参照することで、各表示情報の誘目度を取得するようにしてもよい。また、例えば、表示更新部１４０は、画面上に表示される各画面部品と各表示情報の誘目度とが対応付けられたテーブルを有しており、注視点推定部１１０で推定された注視点位置を基に当該テーブルを参照して対応する画面部品（例えば、最も近い画面部品等）を特定し、各表示情報の誘目度を取得するようにしてもよい。
【００１８】
不適切情報特定部１３０は、表示情報毎に取得された誘目度が当該表示情報毎に定められた重要度に見合うか否かを判定し、その判定の結果に応じて不適切情報を特定する。ここで「不適切情報」とは、重要度に見合わない誘目度を有する画面上の表示情報を示す。また、「重要度」とは、表示情報毎に予め設定されており、その表示情報の重要性を示す指標である。
【００１９】
本実施形態における不適切情報特定部１３０は、表示情報に関する誘目度の大小関係と、その表示情報の重要度の大小関係とに基づいて不適切情報を特定する。詳細には、不適切情報特定部１３０は、誘目度取得部１２０によって取得された各表示情報の誘目度の大小関係と、予め設定されている各表示情報の重要度の大小関係とを比較して、大小関係が相違している表示情報を不適切情報として特定する。
【００２０】
表示更新部１４０は、画面上の表示情報の表示状態を更新することにより不適切情報の誘目度を変更することで、誘目度取得部１２０によって特定された不適切情報の誘目度を、当該不適切情報に対して設定されている重要度に見合うように調整する。なお、ここでいう「表示状態」とは、表示情報の配色、サイズ、形状、及び動きのうち、少なくともいずれか１つを含む。また、表示状態の「動き」とは所謂アニメーションであり、その例としては、表示情報を点滅させる動きや表示情報を任意の方向に振動させる動き等が挙げられる。
【００２１】
本実施形態の表示更新部１４０は、例えば、図２〜図５に示すような表現を更新するためのルールを用いて画面上の各表示情報の表示状態を更新し、不適切情報の誘目度を当該不適切情報に設定されている重要度に見合うように調整する。これらの情報は、図示しない記憶部に記憶されている。なお、記憶部は図２〜図５以外のルールを記憶していてもよい。表示更新部１４０は、この記憶部を参照して表示情報をどのように更新するかを決定する。なお、この記憶部は、情報表示装置１０に備えられていてもよいし、情報表示装置１０の外部に位置する他の装置に備えられていてもよい。
【００２２】
図２は、表示情報のサイズを更新するルールの一例を示す図である。また、図３は、表示情報の配色を更新するルールの一例を示す図である。また、図４は、表示情報の形状を更新するルールの一例を示す図である。また、図５は、表示情報の動きを更新するルールの一例を示す図である。例えば、図２を例にすると、「ＩＤ」が「Ｓ００１」の行の「サイズ更新ルール」は、「該当する領域のサイズを１．５倍にする」というものである。このルールが適用された場合、対象の領域のサイズが１．５倍に拡大され、当該領域に表示されている表示情報の誘目度が増加する。なお、図２及び図４では、拡大倍率に合わせて誘目度が増加するように設定されているが、誘目度の増減度合は任意に変更することが可能である。同様に、図５で設定されている誘目度の増減値も任意に変更することが可能である。また、図２〜図５は一例であり、格納される情報の内容はこれに限定されない。
【００２３】
表示更新部１４０は、表示情報の表示状態を更新する際、予め定められた順番に従ってルールを適用するようにしてもよいし、ランダムに選択されたルールを適用するようにしてもよい。例えば、誘目度を増加させる場合、表示更新部１４０は、「誘目度の増減」が「増」であるルールの中で、付随する数値が小さいルールから順に適用するようにしてもよいし、予め設定された優先順位に従ってルールを適用するようにしてもよい。また、同様に、表示更新部１４０は、「サイズ」や「配色」等種類の異なるルール中で、予め定められた順番に従ってルールを適用するようにしてもよいし、ランダムに選択されたルールを適用するようにしてもよい。そして、表示更新部１４０は、適用されたルールに従って表示状態が更新された表示情報を表示装置等の画面に出力する。
【００２４】
なお、図１に示した情報表示装置１０の各構成要素は、ハードウエア単位の構成ではなく、機能単位のブロックを示している。情報表示装置１０の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００２５】
ここで、本実施形態の情報表示装置１０が不適切情報を特定し、表示情報の表示状態を更新する流れを、図６〜図１１を用いて説明する。図６〜図１１は、第１実施形態における情報表示装置１０が不適切情報を特定し、表示情報の表示状態を更新する流れを説明するための図である。
【００２６】
図６（ａ）〜図１１（ａ）において、領域Ｌ１、領域Ｌ２、及び領域Ｌ３は、「情報ＩＤ＝Ｉｎｆ０１」である表示情報、「情報ＩＤ＝Ｉｎｆ０２」である表示情報、及び「情報ＩＤ＝Ｉｎｆ０３」である表示情報をそれぞれ表示するための画面２００上の領域である。また、図６（ａ）〜図１１（ａ）の破線で示される円は、画面２００の画面部品上に表示されるカーソル２０２から推定される注視点位置２０４を示している。なお、破線で示される円は説明のために表示したものであり、実際の画面には表示されない。また、図６（ｂ）〜図１１（ｂ）は、領域Ｌ１〜領域Ｌ３の表示情報に予め設定された重要度、注視点位置２０４が図６（ａ）〜図１１（ａ）に示す位置にある場合の領域Ｌ１〜領域Ｌ３の表示情報の誘目度、及びそれらの大小関係が一致しているか否かを判定した結果を示している。
【００２７】
まず、図６は、最も左上の入力フォーム（画面部品）にカーソル２０２がある状態を例示している。図６の例では、領域Ｌ１〜領域Ｌ３の各表示情報の誘目度は、誘目度取得部１２０によって図６（ｂ）に示されるように取得されているものと仮定する。ここでは、領域Ｌ１の表示情報は、領域Ｌ１〜領域Ｌ３の表示情報の中で設定されている重要度が一番大きく、かつ、領域Ｌ１〜領域Ｌ３の表示情報の中で誘目度が一番大きい。よって、領域Ｌ１の表示情報に関しては、重要度の大小関係と誘目度の大小関係とが一致しているため、不適切情報特定部１３０は領域Ｌ１の表示情報を「○（問題なし）」と判定する。同様に、領域Ｌ２及び領域Ｌ３の表示情報に関しても、重要度の大小関係と誘目度の大小関係とが一致しており、不適切情報特定部１３０は領域Ｌ２及び領域Ｌ３の表示情報についても「○（問題なし）」と判定する。
【００２８】
図７は、図６の状態からカーソル２０２が一番右下の入力フォームに移動した場合を例示している。このとき、注視点位置２０４は、注視点推定部１１０によりカーソル２０２の位置に基づいて再度推定され、図７に示されるように右下に移動する。そして、注視点位置２０４の移動に伴い、誘目度取得部１２０によって領域Ｌ１〜領域Ｌ３の表示情報の誘目度が再度取得され、例えば図７（ｂ）に示されるように領域Ｌ１〜領域Ｌ３の表示情報の誘目度が変動する。図７の例では、領域Ｌ１の表示情報の誘目度、及び領域Ｌ３の表示情報の誘目度が変動している。そして、領域Ｌ１〜領域Ｌ３の表示情報の誘目度が変動したことにより、領域Ｌ１の表示情報と領域Ｌ２の表示情報において、誘目度の大小関係と重要度の大小関係に不一致が生じている。そのため、不適切情報特定部１３０は、領域Ｌ１及び領域Ｌ２の表示情報を「×（不適切情報）」と特定する。
【００２９】
図８〜図１１は、図７の状態から表示更新部１４０が表示情報の表示状態を更新した場合をそれぞれ例示している。図８は、表示情報のサイズを更新した場合を例示している。また、図９は、表示情報の配色を更新した場合を例示している。また、図１０は表示情報の形状を更新した場合を例示している。また図１１は、表示情報の動きを更新した場合を例示している。ここでは、図８を例として説明する。
【００３０】
図７の状態では、領域Ｌ１の重要度が領域Ｌ２の重要度よりも高く設定されているにも関わらず、領域Ｌ１の誘目度が領域Ｌ２の誘目度よりも小さい。そこで、表示更新部１４０は、領域Ｌ１の誘目度を増加させるように表示情報の表示状態を更新する。表示更新部１４０は、例えば、図２に示されるルールの中から「ＩＤ＝Ｓ００１」であるルール「該当する領域のサイズを１．５倍にする」を適用する。これにより、図８（ａ）に示すように、領域Ｌ１のサイズが１．５倍に拡大され、領域Ｌ１の表示情報の誘目度も元の「７．０」から「１０．５」に増加する。結果として、領域Ｌ１〜領域Ｌ３において、各表示情報の誘目度の大小関係が各表示情報の重要度の大小関係と一致し、全ての表示情報が「○（問題なし）」になる。
【００３１】
なお、表示更新部１４０は、表示領域の制約等によりサイズの変更が不可能な場合は、表示情報のサイズを更新するルール以外のルールを適用することも可能である。この場合も、図８と同様に処理が実行される。例えば、表示情報の配色を変更する場合は、表示更新部１４０は、図３に示されるルールの中から「ＩＤ＝Ｃ００１」であるルール「該当する領域のコントラストを１．５倍にする」を適用し、図９に示されるように表示情報を更新する。これにより、各表示情報の誘目度の大小関係が各表示情報の重要度の大小関係と一致する。また、例えば、表示情報の形状を変更する場合は、表示更新部１４０は、図４に示されるルールの中から「ＩＤ＝Ｆ００１」であるルール「該当する領域の形状をＡに変更する」を適用し、図１０に示されるように表示情報を更新する。これにより、各表示情報の誘目度の大小関係が各表示情報の重要度の大小関係と一致する。また、例えば、表示情報の配色を変更する場合は、表示更新部１４０は、図５に示されるルールの中から「ＩＤ＝Ｍ００２−１」であるルール「該当する領域を所定の速さで点滅させる」を適用し、図１１に示されるように表示情報を更新する。これにより、各表示情報の誘目度の大小関係が各表示情報の重要度の大小関係と一致する。また、表示更新部１４０は、サイズと配色を共に変更する等、複数種類のルールを併せて適用して各表示情報の誘目度を調整してもよい。また、ここでは、表示更新部１４０は領域Ｌ１の誘目度を増加させるルールを用いて各表示情報の誘目度の大小関係と各表示情報の重要度の大小関係とを一致させた。しかし、これに限らず、表示更新部１４０は領域Ｌ２の誘目度を低減させるルールを用いて各表示情報の誘目度の大小関係と各表示情報の重要度の大小関係とを一致させてもよい。
【００３２】
本実施形態における情報表示装置１０の処理の流れについて、図１２を用いて説明する。図１２は、第１実施形態における情報表示装置１０の処理の流れを示すフローチャートである。
【００３３】
情報表示装置１０は、ユーザの操作情報やアイトラッキング等から得られる情報を、注視点情報として取得する（Ｓ１０２）。そして、情報表示装置１０は、Ｓ１０２で取得された注視点情報を用いて、画面上でのユーザの注視点位置を推定する（Ｓ１０４）。そして、情報表示装置１０は、Ｓ１０４で推定された注視点位置に基づいて、表示情報毎の誘目度を取得する（Ｓ１０６）。そして、情報表示装置１０は、取得された表示情報毎の誘目度の大小関係と、表示情報毎に予め設定されている重要度の大小関係とを比較し（Ｓ１０８）、表示情報の表示状態を更新する必要があるか否かを判定する（Ｓ１１０）。誘目度の大小関係と重要度の大小関係との間に差異があり、表示情報を更新する必要があると判定された場合（Ｓ１１０：ＹＥＳ）、情報表示装置１０は、図８等を用いて説明したように、誘目度の大小関係と重要度の大小関係とが一致するように、表示情報の表示状態を更新する（Ｓ１１２）。一方、誘目度の大小関係と重要度の大小関係とが一致しており、表示情報を更新する必要がないと判定された場合（Ｓ１１０：ＮＯ）、情報表示装置１０は、画面上の表示情報の表示状態を更新しない。情報表示装置１０は、Ｓ１０２で新たな注視点情報が取得される度に、上述のＳ１０４〜Ｓ１１２の処理を実行する。
【００３４】
以上、本実施形態では、取得された注視点情報に基づいて、画面上におけるユーザの注視点位置が推定される。そして、推定された注視点位置に基づいて、画面上の各表示情報の誘目度が取得される。そして、取得された各表示情報の誘目度と、表示情報毎に予め設定された重要度とが比較されて不適切情報が特定される。そして、不適切情報の誘目度が当該不適切情報に予め設定されている重要度に見合うように、画面上の表示情報の表示状態が更新される。
【００３５】
これにより、本実施形態によれば、注視点位置に応じて変動する誘目度に基づいて、各表示情報の表示状態が適切であるか否か判断し、不適切な表示状態の表示情報を適切な表示状態に更新することができる。よって、ユーザが画面上のどの位置を注視していたとしても、重要な情報を見落としにくくすることができる。
【００３６】
また、本実施形態において、不適切情報特定部１３０が不適切情報を特定する方法は上述した方法に限定されない。例えば、不適切情報特定部１３０は、図１３に示すような、各重要度に見合うと判定する誘目度の範囲が重要度の度合毎に定められている情報を保持しており、誘目度取得部１２０で算出された表示情報毎の誘目度と図１３の情報とに基づいて各表示情報の誘目度が重要度に見合うか否か判定し、不適切情報を特定してもよい。なお、図１３は重要度の度合毎に設定される誘目度の範囲の一例を示す図である。ここで定められる誘目度の範囲は、図１３に限定されず、任意に変更可能である。このようにしても、上述の効果を得ることができる。
【００３７】
（第２実施形態）
本実施形態は、以下の点を除いて、第１実施形態と同様である。
【００３８】
図１４は、第２実施形態における情報表示装置１０の処理構成例を示すブロック図である。図１４では、情報表示装置１０は特徴量取得部１５０を更に有する。
【００３９】
特徴量取得部１５０は、画面上に表示される情報毎の特徴量を取得する。ここでいう「特徴量」とは、例えば、表示情報の文字の色や背景色等の配色、表示情報が表示されている領域のサイズ、表示情報が表示されている領域の形状、及びアニメーション等の表示情報の動きを含む。特徴量取得部１５０は、処理対象の表示情報が表示されている領域を切り出し、これらのうちの少なくとも１つを当該領域の表示情報の特徴量として取得する。
【００４０】
詳細には、特徴量取得部１５０は、例えば、表示情報の色相、彩度、及び明度の平均値や中間値等を、配色の特徴量として取得する。また、特徴量取得部１５０は、例えば、表示情報が表示されている領域の各頂点の位置を取得し、各頂点の位置ベクトルを用いて算出される当該領域の面積を、サイズの特徴量として取得する。また、特徴量取得部１５０は、例えば、表示情報が表示されている領域にエッジ処理等を施して、形状の特徴量を取得する。また、特徴量取得部１５０は、例えば、予め記憶されている動作パターンとマッチングさせて表示情報の動きを特定し、特定された動作パターンに紐付けられた特徴量を、動きの特徴量として取得する。
【００４１】
誘目度取得部１２０は、注視点推定部１１０によって推定された注視点位置、及び特徴量取得部１５０によって取得された特徴量に基づいて、各表示情報の誘目度を取得する。誘目度取得部１２０は、例えば特許文献１や非特許文献１に記載される方式を用いて、注視点位置からの距離、並びに表示情報の配色、サイズ、形状、及び動き等から各表示情報の誘目度を算出して取得することができる。また、これに限らず、誘目度取得部１２０は、その他の経験則に基づくルールを用いて、注視点位置からの距離、並びに表示情報の配色、サイズ、形状、及び動き等から各表示情報の誘目度を取得してもよい。
【００４２】
本実施形態における情報表示装置１０の処理の流れについて、図１５を用いて説明する。図１５は、第２実施形態における情報表示装置１０の処理の流れを示すフローチャートである。
【００４３】
情報表示装置１０は、各表示情報の特徴量を取得する（Ｓ３０２）。そして、情報表示装置１０は、Ｓ１０４で推定された注視点位置、及びＳ３０２で取得された各表示情報の特徴量に基づいて、各表示情報の誘目度を取得する（Ｓ３０４）。ここでは、各表示情報の注視点位置からの距離、並びに各表示情報の配色、サイズ、形状、及び動き等を総合的に判断し、各表示情報の誘目度が取得される。例えば、注視点位置からの距離が近い表示情報ほど、その誘目度は大きくなる。また、例えば、目立つコントラスト配色を有する表示情報ほど、その誘目度は大きくなる。また、例えば、サイズが大きい表示情報ほど、その誘目度は大きくなる。また、例えば、周りの表示情報と異なっていて目立つ形状を有する表示情報ほど、その誘目度は大きくなる。また、動きが大きい表示情報ほど、その誘目度は大きくなる。情報表示装置１０は、それぞれの観点から取得される誘目度の合計値、平均値、又は中間値等を、当該表示情報の誘目度とすることができる。
【００４４】
以上、本実施形態では、注視点位置に加え、表示情報の特徴量が更に考慮され、各表示情報の誘目度が算出される。これにより、本実施形態によれば、不適切情報を特定する精度を向上させて、ユーザが重要な情報をより見落としにくい画面を出力することができる。
【００４５】
以上、図面を参照して本発明の実施形態について述べたが、これらは本発明の例示であり、上記以外の様々な構成を採用することもできる。
【００４６】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。
【００４７】
以下、参考形態の例を付記する。
１．ユーザの注視点を推測可能な注視点情報を用いて、画面上における前記ユーザの注視点位置を推定する注視点推定手段と、
前記ユーザの目線の惹きやすさの度合を示す誘目度を、前記注視点位置に基づいて前記画面上に表示される情報毎に取得する誘目度取得手段と、
前記情報毎の前記誘目度が前記情報毎に定められた重要度に見合うか否かを判定し、前記重要度に見合わない前記誘目度を有する前記情報を不適切情報として特定する不適切情報特定手段と、
前記画面上に表示される前記情報の表示状態を更新することにより前記不適切情報の前記誘目度を変更し、前記不適切情報の前記誘目度を前記重要度に見合うように調整する表示更新手段と、
を有する情報表示装置。
２．前記画面上に表示される前記情報毎の特徴量を取得する特徴量取得手段を更に備え、
前記誘目度取得手段は、前記注視点位置及び前記特徴量に基づいて前記画面上に表示される情報毎に前記誘目度を取得する、
１．に記載の情報表示装置。
３．前記特徴量は、前記情報の配色、サイズ、形状、及び動きのうち、少なくともいずれか１つを含む、
２．に記載の情報表示装置。
４．前記不適切情報特定手段は、前記画面上に表示される前記情報に関する前記誘目度の大小関係と前記重要度の大小関係とを比較することにより、前記情報毎の前記誘目度が前記情報毎に定められた重要度に見合うか否かを判定して前記不適切情報を特定する、
１．から３．のいずれか１つに記載の情報表示装置。
５．前記不適切情報特定手段は、前記情報毎の前記誘目度と前記重要度の度合毎に定められた閾値とを比較することにより、前記情報毎の前記誘目度が前記情報毎に定められた重要度に見合うか否かを判定して前記不適切情報を特定する、
１．から３．のいずれか１つに記載の情報表示装置。
６．コンピュータが、
ユーザの注視点を推測可能な注視点情報を用いて、画面上における前記ユーザの注視点位置を推定し、
前記ユーザの目線の惹きやすさの度合を示す誘目度を、前記注視点位置に基づいて前記画面上に表示される情報毎に取得し、
前記情報毎の前記誘目度が前記情報毎に定められた重要度に見合うか否かを判定し、前記重要度に見合わない前記誘目度を有する前記情報を不適切情報として特定し、
前記画面上に表示される前記情報の表示状態を更新することにより前記不適切情報の前記誘目度を変更し、前記不適切情報の前記誘目度を前記重要度に見合うように調整する、
ことを含む情報表示方法。
７．前記コンピュータが、
前記画面上に表示される前記情報毎の特徴量を取得し、
前記注視点位置及び前記特徴量に基づいて前記画面上に表示される情報毎に前記誘目度を取得する、
ことを含む６．に記載の情報表示方法。
８．前記特徴量は、前記情報の配色、サイズ、形状、及び動きのうち、少なくともいずれか１つを含む、
７．に記載の情報表示方法。
９．前記コンピュータが、前記画面上に表示される前記情報に関する前記誘目度の大小関係と前記重要度の大小関係とを比較することにより、前記情報毎の前記誘目度が前記情報毎に定められた重要度に見合うか否かを判定して前記不適切情報を特定する、
ことを含む６．から８．のいずれか１つに記載の情報表示方法。
１０．前記コンピュータが、前記情報毎の前記誘目度と前記重要度の度合毎に定められた閾値とを比較することにより、前記情報毎の前記誘目度が前記情報毎に定められた重要度に見合うか否かを判定して前記不適切情報を特定する、
ことを含む６．から８．のいずれか１つに記載の情報表示方法。
１１．コンピュータを、
ユーザの注視点を推測可能な注視点情報を用いて、画面上における前記ユーザの注視点位置を推定する注視点推定手段、
前記ユーザの目線の惹きやすさの度合を示す誘目度を、前記注視点位置に基づいて前記画面上に表示される情報毎に取得する誘目度取得手段、
前記情報毎の前記誘目度が前記情報毎に定められた重要度に見合うか否かを判定し、前記重要度に見合わない前記誘目度を有する前記情報を不適切情報として特定する不適切情報特定手段、
前記画面上に表示される前記情報の表示状態を更新することにより前記不適切情報の前記誘目度を変更し、前記不適切情報の前記誘目度を前記重要度に見合うように調整する表示更新手段、
として機能させるための情報表示プログラム。
１２．前記コンピュータを、
前記画面上に表示される前記情報毎の特徴量を取得する特徴量取得手段として更に機能させ、
前記コンピュータに、
前記誘目度取得手段において、前記注視点位置及び前記特徴量に基づいて前記画面上に表示される情報毎に前記誘目度を取得する、
機能を実現させるための１１．に記載の情報表示プログラム。
１３．前記コンピュータを、前記情報の配色、サイズ、形状、及び動きのうち、少なくともいずれか１つを含む前記特徴量を取得する手段、
として機能させるための１１．に記載の情報表示プログラム。
１４．前記コンピュータに、
前記不適切情報特定手段において、前記画面上に表示される前記情報に関する前記誘目度の大小関係と前記重要度の大小関係とを比較することにより、前記情報毎の前記誘目度が前記情報毎に定められた重要度に見合うか否かを判定して前記不適切情報を特定する、
機能を実現させるための１１．から１３．のいずれか１つに記載の情報表示プログラム。
１５．前記コンピュータに、
前記不適切情報特定手段において、前記情報毎の前記誘目度と前記重要度の度合毎に定められた閾値とを比較することにより、前記情報毎の前記誘目度が前記情報毎に定められた重要度に見合うか否かを判定して前記不適切情報を特定する、
機能を実現させるための１１．から１３．のいずれか１つに記載の情報表示プログラム。
【符号の説明】
【００４８】
１０        情報表示装置
１１０      注視点推定部
１２０      誘目度取得部
１３０      不適切情報特定部
１４０      表示変更部
１５０      特徴量取得部
２００      画面
２０２      カーソル
２０４      注視点位置
Ｌ１〜Ｌ３  領域
【図１】
2015007861.tif 000003
【図２】
2015007861.tif 000004
【図３】
2015007861.tif 000005
【図４】
2015007861.tif 000006
【図５】
2015007861.tif 000007
【図６】
2015007861.tif 000008
【図７】
2015007861.tif 000009
【図８】
2015007861.tif 000010
【図９】
2015007861.tif 000011
【図１０】
2015007861.tif 000012
【図１１】
2015007861.tif 000013
【図１２】
2015007861.tif 000014
【図１３】
2015007861.tif 000015
【図１４】
2015007861.tif 000016
【図１５】
2015007861.tif 000017